(57)【要約】【課題】シャッタ開閉時にシャッタの外面に付着している塵埃等がシェルの開口部からシェル内に侵入するのを防止する。【解決手段】記録媒体カートリッジ１は、カートリッジ筺体２内に、情報記録媒体３と、インナーロータ４と、シャッタ５と、を重ねて収納し、インナーロータ４を回転させるとシャッタ駆動機構７によりシャッタ５でカートリッジ筺体２の開口部６を開閉するようになっている。前記シャッタ５は、外面側に該シャッタ５が開口部６を閉塞する第１の位置から開口部６を開放する第２の位置に移動したときに、開口部６の周縁部に付着した塵埃等を受容する溝部８１を備えている。【選択図】図３
2004280933.tif 000002
【特許請求の範囲】
【請求項１】
カートリッジ筺体内に、情報記録媒体と、インナーロータと、シャッタと、を重ねて収納し、インナーロータを回転させるとシャッタ駆動機構によりシャッタがカートリッジ筺体のシェルに設けた開口部を閉塞する第１の位置と、開口部を開放する第２の位置との間で移動するようにした記録媒体カートリッジにおいて、
前記シャッタは、前記開口部を閉塞する第１の位置から前記開口部を開放する第２の位置に移動してきたときに、前記開口部の周縁部に付着した塵埃を受容する溝部を外面に備えていることを特徴とする記録媒体カートリッジ。
【請求項２】
前記シャッタは、略半円形に形成された一対のシャッタ部材からなり、前記一対のシャッタ部材は、弦辺側の端部に、前記開口部を閉塞する第１の位置において互いに重なり合って前記開口部を斜めに横断する薄肉の重合部と、前記塵埃を受容する溝部と、を備え、
前記塵埃を受容する溝部の深さは、前記重合部の肉厚の値と略同じ値に形成されていることを特徴とする請求項１に記載の記録媒体カートリッジ。
【請求項３】
前記シャッタ部材は、前記外面に設けた塵埃を受容する溝部に対応する位置の背面側に、前記溝部と同方向に伸びる変形補正用の溝部を備えていることを特徴とする請求項２に記載の記録媒体カートリッジ。
【請求項４】
前記シャッタ部材は、前記外面に設けた塵埃を受容する溝部に対応する位置の背面側に、前記溝部と交叉する方向に伸びる補強用の溝部を内面に備えていることを特徴とする請求項２に記載の記録媒体カートリッジ。
【発明の詳細な説明】
【発明の属する技術分野】
本発明は、カートリッジ筺体内にシャッタを組付けてカートリッジ筺体内でシャッタを移動させることによりカートリッジ筺体に設けた開口部を開閉するようにした記録媒体カートリッジに関するものである。
【０００１】
【従来の技術】
図２６、図２７に示すように、記録媒体カートリッジ１０１として、カートリッジ筺体１０２に設けた開口部１０３を閉塞する第１の位置（図２６）と、前記開口部１０３を開放する第２の位置（図２７）と、の間でシャッタ１０４を移動させるようにしたものが知られている。
【０００２】
カートリッジ筺体１０２は、上シェル１０２ａと下シェル１０２ｂからなっている。開口部１０３は、下シェル１０２ｂに設けられていて、該下シェル１０２ｂの内面に重ね合せた状態で前記シャッタ１０４が組付けられている。
【０００３】
シャッタ１０４は、略半円形に形成された一対のシャッタ部材１０４ａ，１０４ｂからなっていて、開口部１０３を閉塞する第１の位置にあるときは、図２６に示すように、略半円形の一対のシャッタ部材１０４ａ，１０４ｂの弦側辺１０４ｃが開口部１０３内で互いに重なり合って開口部１０３を閉塞する。また、開口部１０３を開放する第１の位置にあるときは、図２７に示すように、略半円形の一対のシャッタ部材１０４ａ，１０４ｂの弦側辺１０４ｃが開口部１０３の側縁１０３ａ，１０３ｂの下方に重なり合って、前記開口部１０３を開放するようになっている。（例えば、特許文献１参照）。
【０００４】
【特許文献１】
特開平２００１−３３２０５４号公報（段落００１０、段落００１５、図２、図３）
【０００５】
【発明が解決しようとする課題】
ところで、前記記録媒体カートリッジ１０１は、図２８（Ａ）、（Ｂ）、（Ｃ）に示すように、開口部１０３を閉塞しているシャッタ部材１０４ａ，１０４ｂの外面に塵埃１０５等が付着していると、これら塵埃１０５等は、シャッタ部材１０４ａ，１０４ｂが開口部１０３を開放する位置に移動する際に、開口部１０３の側縁１０３ａ，１０３ｂで拭き取られるようにして、これら側縁１０３ａ，１０３ｂに付着、堆積して行く。
【０００６】
そして、シャッタ部材１０４ａ，１０４ｂが前記側縁１０３ａ，１０３ｂよりも下シェル１０２ｂの内側に潜り込んで開口部１０３が完全に開放された状態になると、開口部１０３の側縁１０３ａ，１０３ｂに付着、堆積していた塵埃１０５等がドライブ装置内に落下したり、或いは開口部１０３からカートリッジ筺体１０２内に吸い込まれ、カートリッジ筺体１０２内に収納されているディスクの記録媒体面に付着したりして、記録媒体面への信号の記録や信号の再生を阻害してしまうという問題点があった。
【０００７】
本発明は、上記従来の問題点を解決し、カートリッジ筺体に設けた開口部を閉塞しているシャッタの外面に付着している塵埃等が、シャッタ開閉時において前記開口部からカートリッジ筺体内に侵入するのを防止することのできる記録媒体カートリッジを提供することを目的になされたものである。
【０００８】
【課題を解決するための手段】
本発明は、カートリッジ筺体内に、情報記録媒体と、インナーロータと、シャッタと、を重ねて収納し、インナーロータを回転させるとシャッタ駆動機構によりシャッタがカートリッジ筺体のシェルに設けた開口部を閉塞する第１の位置と、開口部を開放する第２の位置との間で移動するようにした記録媒体カートリッジにおいて、
前記シャッタの外面に、該シャッタが前記開口部を閉塞する第１の位置から前記開口部を開放する第２の位置に移動したときに、前記開口部の周縁部に付着した塵埃等を受容する溝部を設けることにより、
シャッタが前記開口部を開放する第２の位置に移動するときに前記開口部の周縁部に付着した塵埃等を前記溝部に受容して前記塵埃等がカートリッジ筺体内に侵入するのを未然に防止した。
【０００９】
【発明の実施の形態】
以下、本発明の記録媒体カートリッジを、（１）記録媒体カートリッジの概略構成、（２）カートリッジ筺体の構成、（３）情報記録媒体の構成、（４）インナーロータの構成、（５）シャッタの構成、（６）シャッタ駆動機構の構成、（７）作用の各項に分けて順に説明する。
【００１０】
（１）記録媒体カートリッジの概略構成
図１は記録媒体カートリッジを上面側から見た斜視図、図２は記録媒体カートリッジを下面側から見た斜視図、図３はシャッタを開いた状態の斜視図、図４は分解斜視図、図５は裏返して分解した状態の斜視図である。
【００１１】
図１〜図５に示したように、記録媒体カートリッジ１は、カートリッジ筐体２内に、情報記録媒体３と、インナーロータ４と、シャッタ５と、を重ね合せた状態で収納し、インナーロータ４を回転させることにより、シャッタ５をシャッタ駆動機構７によりカートリッジ筐体２に設けた開口部６を閉塞する第１の位置と、開口部６を開放する第２の位置との間で移動させるようになっている。
【００１２】
シャッタ５は、外面に前記開口部６の周縁部に付着した塵埃８０を受容する溝部８１を備えている。そして、図６に示すように、シャッタ５が開口部６を閉塞する第１の位置から開口部６を開放する第２の位置に移動するときに、シャッタ５の移動により開口部６の周縁部６ａに付着した塵埃８０等を溝部８１内に受容して、前記開口部６の周縁部に付着した塵埃８０等がカートリッジ筺体２内等に侵入するのを未然に防止するようになっている。
【００１３】
（２）カートリッジ筐体の構成
図２に示すように、カートリッジ筺体２は、上シェル２１と下シェル２２からなっている。下シェル２２は、左右一対の下シェル構成体２３，２４に分割されていて、これら左右一対の下シェル構成体２３，２４の間に開口部６が設定される。
【００１４】
下シェル２２を構成する左右一対の下シェル構成体２３，２４は、前記シャッタ駆動機構７を構成する一対の駆動軸部１０を備えている。
【００１５】
図７に示すように、上シェル２１は、正面側が円弧形状とされた略四角形をなす薄い皿状部材からなり、外周縁部には周壁２１ａが設けられている。
【００１６】
周壁２１ａは、前縁部２１ｂと、一対の側縁部２１ｃ，２１ｄと、後縁部２１ｅからなっている。後縁部２１ｅの中央部には、下シェル２２との位置決めを行う位置決め用の凹部２１ｆが設けられている。
【００１７】
前記周壁２１ａの内側、詳しくは、前縁部２１ｂと一方の側縁部２１ｃのコーナー部分、一方の側縁部２１ｃと後縁部２１ｅのコーナー部分、後縁部２１ｅと他方の側縁部２１ｄのコーナー部分にはそれぞれ、円弧状リブ１４が設けられている。
【００１８】
円弧状リブ１４の内側には、リング状リブ１５が設けられている。このリング状リブ１５の内側は、ディスク３の収納部１６になっている。
【００１９】
リング状リブ１５の外側には、後に詳しく説明するインナーロータ４のリング部の先端が嵌合するリング状の凹部１７が設けられている。リング状の凹部１７の底面の前後対称位置（１８０°位相をずらした位置）にはインナーロータ４を下シェル２２から離間する方向に移動させるためのリフトアップ用の凸部１８が設けられている。リフトアップ用の凸部１８は、後に説明するインナーロータ４のリング部４１の先端面に設けたインナーロータ側のリフトアップ用の凸部４６が乗り上げることにより、インナーロータ４を上シェル２１から離間する方向に移動させるようになっている。
【００２０】
図８に示すように、下シェル２２は、中央の開口部６で左右一対の下シェル構成体２３，２４に２分割された状態になっている。下シェル２２は、上シェル２１と同様に正面側が円弧形状とされた略四角形をなす薄い皿状部材からなり、外周縁部には周壁２２ａが設けられている。
【００２１】
周壁２２ａは、前縁部２２ｂと、一対の側縁部２２ｃ，２２ｄと、後縁部２２ｅからなっている。後縁部２２ｅには、上シェル２１との位置決めを行う位置決め用の凸部２２ｆが設けられている。
【００２２】
前記周壁２２ａの内側、詳しくは、前縁部２２ｂと一方の側縁部２２ｃのコーナー部分、一方の側縁部２２ｃと後縁部２２ｅのコーナー部分、後縁部２２ｅと他方の側縁部２２ｄのコーナー部分には、円弧状リブ１９が設けられている。
【００２３】
下シェル２２の円弧状リブ１９の内側は、インナーロータ４の肉厚方向の略半分及び一対のシャッタ５を収納する収納部になっている。
【００２４】
上，下シェル２１，２２は、位置決め用の凹部２１ｆに位置決め用の凸部２２ｆを嵌合した状態で、互いの周壁２１ａ，２２ａを突き合せた状態で重ね合わされている。
【００２５】
下シェル２２の中央部に設けられた開口部６は、ディスク回転駆動機構のターンテーブルと光学ピックアップ装置の光学ヘッドを情報記録媒体３に臨ませる記録／再生用開口部６ａと、ディスク回転駆動機構のターンテーブルを臨ませる中央開口部６ｂとからなっている。
【００２６】
また、図２、図３に示すように、上，下シェル２１，２２の一方の側縁部２１ｄ，２２ｄの略中央部には、インナーロータ４の外周面のギヤ４３の一部を露出させるための開口窓３０が設けられている。この開口窓３０は、上シェル２１に設けた上シェル側切欠き部３０ａと、下シェル２２に設けた下シェル側切欠き部３０ｂとによって形成されている。更に、上，下シェル２１，２２の一方の側縁部２１ｃ，２２ｃには、その接合面に沿って前後方向に延びるガイド溝３１が設けられている。このガイド溝３１は、記録媒体カートリッジ１をディスク記録再生装置に装着する際の誤挿入防止等を目的として設けられたものである。このガイド溝３１は開口窓３０に連通している。
【００２７】
図４に示すように、下シェル２２の前縁部２２ｂと一方の側縁部２２ｄとのコーナー部には、ロック部材３２が回動可能に収納されるロック収納部３３が設けられている。このロック収納部３３は、下シェル２２のインナーロータ等の収納部に連通されていると共に、一方の側縁部２２ｄに設けられた開口穴３４を介してガイド溝３１に連通されている。更に、下シェル２２のロック収納部３３には、ロック部材３２を回動自在に支持する支持軸３５が、上シェル２１側へ突出するように設けられている。
【００２８】
ロック部材３２は、支持軸３５に回動自在に嵌合されて平面方向へ揺動可能とされたレバー状部材によって形成されている。ロック部材３２の長手方向の一端には複数の歯を有するストッパ部３６が設けられ、長手方向の他端には操作部３７が設けられている。更に、ロック部材３２には、ストッパ部３６と対向するよう同方向に突出されたバネ片３８が一体に設けられている。
【００２９】
前記ロック部材３２は、ストッパ部３６をインナーロータ等の収納部側に向けた状態で支持軸３５に嵌入され、バネ片３８が前縁部２２ｂの内面に当接される。このバネ片３８のバネ力によってストッパ部３６がインナーロータ等の収納部側に付勢されると共に、操作部３７が開口穴３４を内側から貫通してガイド溝３１内に突出される。また、下シェル２２の一方の側縁部２２ｃと後縁部２２ｅのコーナー部分に設けた誤消去防止部材取付部９１には、光ディスク等の記録媒体に記録された情報の誤消去を防止するための誤消去防止部材９２が取り付けられている。
（３）情報記録媒体の構成
情報記録媒体３として、オーディオ情報としての音楽信号やビデオ情報としての映像信号及び音楽信号等の各種の情報信号が予め記録された再生専用型の光ディスク、或いはオーディオ情報やビデオ情報等の情報信号が１度だけ記録可能な追記型若しくは何度でも繰り返して記録可能な書換え型が記録可能型の光ディスクとして知られているが、実施例では記録可能型の光ディスク（以下、情報記録媒体を単に光ディスクと称する）が使用されている。
【００３０】
図４に示したように、光ディスク３は、中央部にセンタ穴３ａが設けられた厚みの薄い円板状の記録部材からなる。
【００３１】
光ディスク３は、チャッキングプレート押さえ３ｂにより上シェル２１の内面に取り付けられたチャッキングプレート３ｃによりディスク記録再生装置のターンテーブルにチャッキングされて回転方向に一体化されて所定速度（例えば、ゾーン毎の角速度一定：ＺＣＡＶ）で回転される。
【００３２】
光ディスク３の一面には、記録再生装置に内蔵される光学ピックアップ装置の光学ヘッドが対向される情報記録の可能な情報記録領域２９ａと、情報記録の不可能な非記録領域２９ｂとが設けられている。非記録領域２９ｂは、光ディスク３の中央部のセンタ穴３ａの外側に所定幅で設けられた内側の非記録領域２９ｂと、光ディスク３の外周縁に所定幅で設けられた外側の非記録領域２９ｂとからなる。この内外側の非記録領域２９ｂ，２９ｂ間に情報記録領域２９ａが設けられている。
【００３３】
光ディスク３は、次に説明するインナーロータ４のリング部４１内に回転自在に収納される。なお、光ディスク３の基板の材質としては、例えば、ポリカーボネート（ＰＣ）、ポリメタクリレート（ＰＭＭＡ）等の合成樹脂が好適であるが、他の合成樹脂を用いることができることは勿論のこと、合成樹脂以外でも、ガラス材やアルミニウム合金等の各種の材料を用いることができる。
【００３４】
情報記録媒体としては、光ディスクに限定されるものではなく、薄い円盤の表面に、磁性薄膜層を形成して特定位置の磁化状態により情報を記憶するようにした磁気ディスク、同様に形成した磁性薄膜層に光ヘツドと磁気ヘツドを使用して情報を書き込み又は読み出すようにした光磁気ディスクその他の記憶媒体を適用することができる。
【００３５】
（４）インナーロータの構成
インナーロータ４は、図４に示すように、円盤状の薄い板材からなる平面部４０と、この平面部４０の外周縁に連続して設けられたリング部４１とを有している。インナーロータ４の平面部４０の中央部には、開口部４２が形成されていると共に、下面側（リング部４１と反対側の面）には前記シャッタ駆動機構７の枢支部８を構成する一対の軸部８ａが設けられている。これら一対の軸部８ａは、開口部４２を中心にして点対称となるように設けられている。
【００３６】
前記開口部４２は、前記下シェル２２の開口部６と同様に、ディスク回転駆動機構のターンテーブルと光学ピックアップ装置の光学ヘッドを情報記録媒体３に臨ませる記録／再生用開口部４２ａと、ディスク回転駆動機構のターンテーブルを臨ませる中央開口部４２ｂとからなっている。
【００３７】
図５に示すように、リング部４１は、上シェル２１の内面に設けられたリング状リブ１５の外径よりも稍大径の円筒状に形成され、前記リング状リブ１５の外周に回転自在に嵌合され、その先端部が前記リング状リブ１５の外側に設けられたリング状の凹部１７に挿入されるようになっている。
【００３８】
また、リング部４１の外周面には、周方向の所定範囲に渡って多数の歯を有するギア部４３が設けられている。このギア部４３は、インナーロータ４の回転角度よりも少々大きい角度範囲となるように設定されている。即ち、図１０に示すように、下シェル２２の開口部６に対してインナーロータ４の開口部４２が最大に傾いて、次に説明する一対のシャッタ部材５ａ，５ｂが完全に閉じた状態になると、ギア部４３の周方向の一端が開口窓３０の一端に位置（露出）し、次に説明するストッパ部４４ａに設けた突起係合凹部４４が開口窓３０の中央に位置（露出）する。また、図９に示すように、インナーロータ４が所定角度回転して開口部４２と開口部６が重なり合った状態となり、一対のシャッタ部材５ａ，５ｂが完全に開いたときに、ギア部４３の周方向の他端が開口窓３０に位置（露出）する。
【００３９】
インナーロータ４のギア部４３の両側には、インナーロータ４の回転移動量を制限するストッパ部４４ａ，４４ｂが半径方向外側へ突出するように設けられている。
【００４０】
このようにギア部４３及びストッパ部４４ａ，４４ｂがリング部４１の外周面から外側へ突出しているため、上シェル２１及び下シェル２２の対応する部分には、ストッパ部４４ａ，４４ｂ等との接触を回避してその通過を許容するための逃げ溝４５ａ，４５ｂがそれぞれ設けられている。
【００４１】
図９に示すように、インナーロータ４の開口部４２と下シェル２２の開口部６が重なり合った状態になると、ストッパ部４４ａの一端部が逃げ溝４５ａの一端部に設けたストッパ係合部４５ｃに係合してインナーロータ４の更なる回転を阻止する。また、図１０に示すように、インナーロータ４の開口部４２が下シェル２２の開口部６に対して最大に傾いた状態になると、ストッパ部４４ｂの一端部が開口部６の一端部に設けたストッパ係合部４５ｄに係合してインナーロータ４の更なる回転を阻止する。
【００４２】
更に、リング部４１の先端面には、周方向の２箇所にリフトアップ用の凸部４６が設けられている。これらインナーロータ側のリフトアップ用の凸部４６は、図１０に示すように、インナーロータ４の開口部４２が下シェル２２の開口部６に対して最大に傾いた状態において、図２３（Ａ）に示すように、上シェル２１のリング状の凹部１７内に設けたリフトアップ用の凸部１８に乗り上げるようになっている。
【００４３】
図５に示すように、前記一対の軸部８ａ，８ａの近傍には、下シェル２２に設けたリブ状の凸部２０ａ（図４参照）と略同じ高さの台形状の嵌合解除用の凸部４８、４８が設けられている。これら嵌合解除用の凸部４８、４８は、シャッタ部材５ａ，５ｂが開口部６を閉じている図１０の位置（第１の位置）から開口部６を解放する図９の位置（第２の位置）に移動する際に、前記リブ状の凸部２０ａを次に説明する一対のシャッタ部材５ａ，５ｂの溝状の凹部２０ｂから抜き出すためのものである。
【００４４】
嵌合解除用の台形状の凸部４８、４８は、図１０に示す位置において、前記リブ状の凸部２０ａの端部に設けた第２，第４の背高部２０ｅ，２０ｇの側方に位置している。
【００４５】
（５）シャッタの構成
図１１及び図１２に示すように、シャッタ５は、略半円形に形成された一対のシャッタ部材５ａ，５ｂによって構成されている。前記一対のシャッタ部材５ａ，５ｂは、前記下シェル２２の開口部６の周縁部に設けたリブ状の凸部２０ａの第１〜第４の背高部２０ｄ〜２０ｇ（図８参照）の高さと略同じ板厚の板体によって形成されている。
【００４６】
前記一対のシャッタ部材５ａ，５ｂは、前記インナーロータ４に設けた軸部８ａを挿入して枢支部８を構成する軸受部８ｂと、前記下シェル２２の内面に設けた駆動軸部１０を挿入する長孔９と、を備えている。これらの長孔９は、それらが設けられているシャッタ部材５ａ，５ｂの軸受部８ｂを中心に放射方向へ延びるように形成されている。前記長孔９の外側の端部には、周囲に切り込みを入れることによって形成された弾性片５４と、ボス状の駆動軸部１０を逃がすための凹部５３とが設けられている。また、シャッタ部材５ａ，５ｂの円弧側辺には閉鎖用の凸片５５が設けられている。
【００４７】
前記一対のシャッタ部材５ａ、５ｂの弦側辺の略中央部には、弦線と直交する方向に所定の長さで形成された段部５０が設けられており、この段部５０を介してその両側に凸側接合部５０ａと凹側接合部５０ｂとが形成されている。更に、シャッタ部材５ａ，５ｂの各接合部５０ａ，５０ｂには、弦の延在方向と直交する方向に突出する薄肉の庇状の重合部５１ａ，５１ｂがそれぞれ設けられている。かくして、一対のシャッタ部材５ａ，５ｂにおいて、互いの凸側接合部５０ａの端面と凹側接合部５０ｂの端面とがそれぞれ対向され、凸側接合部５０ａの庇状の重合部５１ａが凹側接合部５０ｂの庇状の重合部５１ｂにそれぞれ重なり合わされる。このシャッタ部材５ａ，５ｂの弦側辺の凸側接合部５０ｂ側の端部である軸組付部５０ｃには、軸受部８ｂがそれぞれ設けられている。
【００４８】
シャッタ部材５ａ、５ｂの弦側辺の凹側接合部５０ｂ側の端部には、それぞれ下シェル２２の開口部の周縁部に設けたリブ状の凸部２０ａの端部に設けた第２の背高部２０ｅ又は第４の背高部２０ｇを導入する切欠部５０ｄが設けられている。
【００４９】
また、図１２に示すように、シャッタ部材５ａ，５ｂの外面（前記下シェル２２の開口部６から外部に臨む面）の弦側辺の凸側接合部５０ａ及び凹側接合部５０ｂの周縁に沿った位置には、シャッタ部材５ａ，５ｂが下シェル２２に設けた開口部６を閉塞する第１の位置から開口部６を開放する第２の位置に移動する際に開口部６の周縁部に付着した塵埃８０等を受容する溝部８１が設けられている。
【００５０】
図１３に示すように、前記塵埃を受容する溝部８１の深さＤは、前記庇状の重合部５１ａ，５１ｂの肉厚Ｔの値と略同じ値に形成されている。
【００５１】
シャッタ部材５ａ，５ｂは、ポリアセタール樹脂（ＰＯＭ）やポリブチレンテレフタレート（ＰＢＴ）等の熱可塑性合成樹脂で射出成型により形成されている。前述のように、塵埃を受容する溝部８１の深さＤを庇状の重合部５１ａ，５１ｂの肉厚Ｔの値と略同じ値に形成したのは、シャッタ部材５ａ，５ｂを射出成型する際に、成型金型のキャビティを前記溝部８１を形成する部分で一旦、前記庇状の重合部５１ａ，５１ｂを形成する部分と略同じ値に絞り込むことにより、溶融樹脂の前記庇状の重合部５１ａ，５１ｂを形成する部分への回り込みを円滑に行なうことができる。
【００５２】
また、図１３に示すように、シャッタ部材５ａ，５ｂの外面にのみ溝部８１を設けた場合には、シャッタ部材５ａ，５ｂの外面側と内面側とで熱膨張量等に差異が発生してシャッタ部材５ａ，５ｂが反り（変形し）易くなる。
【００５３】
そこで、図１４に示すように、前記シャッタ部材５ａ，５ｂの内面の前記溝部８１に対応する位置にも、前記外面に設けた塵埃を受容する溝部８１と同様の溝部８２を形成することにより、シャッタ部材５ａ，５ｂの外面側と内面側の熱膨張量等のバランスをとるようにしてもよい。
【００５４】
また、前記溝部８１等を設けると、溝部８１の底部の肉厚が薄くなり、該部が撓み易くなる。そこで、図１５に示すように、前記シャッタ部材５ａ，５ｂの内面に、前記外面に設けた塵埃を受容する溝部８１と直交する方向に複数の補強用の溝部８３を設けることにより、前記シャッタ部材５ａ，５ｂの溝部８１の近傍に所謂梁強度を持たせて撓み難くしてもよい。
【００５５】
前記シャッタ部材５ａ，５ｂは、軸受部８ｂにインナーロータ４の平面部４０の軸部８ａを嵌合させることにより、インナーロータ４の平面部４０にそれぞれ回動自在に取り付けられる。この際、一対のシャッタ部材５ａ，５ｂは、互いの弦側辺を対向させて取り付けるようにする。その結果、図１６に示すように、一対のシャッタ部材５ａ，５ｂをそれぞれ外側へ離反させるように回動させたとき、各シャッタ部材５ａ，５ｂは、インナーロータ４の開口部４２を挟んで、その両側部上に重なるように載置される。一方、一対のシャッタ部材５ａ，５ｂをそれぞれ内側へ回動させて互いの接合部５０ａ，５０ｂをそれぞれ当接させることにより、図１７に示すように、開口部４２が一対のシャッタ部材５ａ，５ｂによって閉じられる。
【００５６】
シャッタを閉じた状態において、前記シャッタ部材５ａの凸片５５は、下シェル２２の第１の背高部２０ｄに当接し、シャッタ部材５ｂの凸片５５は、下シェル２２の第３の背高部２０ｆに当接して、これらの間の隙間を塞ぐようになっている。
【００５７】
また、前記シャッタ部材５ａ，５ｂの下シェル２２との摺接面（シャッタ部材５ａ，５ｂの内面）には、下シェル２２の開口部の周縁部に設けたリブ状の凸部２０ａと係合して、防塵部を構成する溝状の凹部２０ｂが設けられている。溝状の凹部２０ｂには、シャッタ部材５ａ，５ｂが開口部４２を閉じている状態において、下シェル２２のリブ状の凸部２０ａが嵌合するようになっている。
（６）シャッタ駆動機構の構成
図１８はシャッタ駆動機構７の分解斜視図である。前記シャッタ駆動機構７は、インナーロータ４にシャッタ５を回動可能に取り付けている枢支部８と、該枢支部８を中心に放射方向にシャッタ５に形成された長孔９と、カートリッジ筺体２の下シェル２２の内面に設けられ、且つ前記長孔９に挿入されていてインナーロータ４を回転させると前記長孔９内を変移しながら前記枢支部８を中心にしてシャッタ５を回動させる駆動軸部１０と、を備えている。前記枢支部８は、インナーロータ４に設けられた軸部８ａと、シャッタ５に設けられた軸受部８ｂと、からなっている。
【００５８】
そして、図１９に示すように、シャッタ５がカートリッジ筐体２に設けた開口部６を閉塞する第１の位置にある状態から、インナーロータ４を一方向（図１９の反時計方向）に回転させるとシャッタ駆動機構７を構成する長孔９と駆動軸部１０によりシャッタ５は、枢支部８を中心にして回動して、図２０に示すように、カートリッジ筐体２に設けた開口部６を開放する第２の位置に回動移動する。逆に、シャッタ５が第２の位置にある状態から、インナーロータ４を他方向（図２０の時計方向）に回転させるとシャッタ駆動機構７によりシャッタ５は、カートリッジ筐体２に設けた開口部６を閉塞する第１の位置に回動移動するようになっている。
（７）記録媒体カートリッジの作用
次に、記録媒体カートリッジの作用をディスク記録再生装置の構成と共に説明する。ディスク記録再生装置６０は、図２１に示すように、中空の筐体からなる外装ケース６１と、この外装ケース６１内に収納された記録再生装置本体（図示省略）等を備えて構成されている。外装ケース６１は、上面及び前面に開口されたケース本体６２と、このケース本体６２の上面を閉じるように上部に着脱可能に取り付けられたケース蓋体６３と、ケース本体６２及びケース蓋体６３の前面を閉じるように前部に着脱可能に取り付けられた前面パネル６４等を備えている。
【００５９】
ケース本体６２の４箇所には、下方に突出する脚体６２ａが設けられている。これらの脚体６２ａによってディスク記録再生装置６０が支えられている。前面パネル６４は、横長とされた板状部材からなり、その上部には横長のカートリッジ出入口６５が設けられている。カートリッジ出入口６５は、記録媒体カートリッジ１の正面側の大きさ略同程度の大きさに形成されている。このカートリッジ出入口６５は、その内側に配置された開閉扉６６によって常時は閉じられている。
【００６０】
この開閉扉６６を記録媒体カートリッジ１の前部で押圧し、所定の位置まで差し込む。これにより、図示しないローディング機構によって記録媒体カートリッジ１が自動的に取リ込まれる。そして、ローディング機構で搬送された記録媒体カートリッジ１は、ディスク記録再生装置６０内の所定位置で位置決めされて固定される。これと同時に又は前後して、ディスク記録再生装置６０に設けられているシャッタ開閉機構によってシャッタ５が操作され、開口部６，４２が開放される。
【００６１】
これを具体的に説明すると、記録媒体カートリッジ１が所定の位置まで挿入されると、図２２に示すように、ディスク記録再生装置６０に内蔵されたシャッタ開閉機構のラック棒７０が、記録媒体カートリッジ１の一方の側面部に設けたガイド溝３１内に入り込む。これにより、ガイド溝３１内に突出されているロック部材３２の操作部３７が、バネ片３８の付勢力に抗してラック棒７０の押圧力によりロック収納部３３内に押し込められて、ロック部材３２によるインナーロータ４のロックが解除されると共に、前記ラック棒７０に弾性片７０ｂを介して設けた回転操作突起７０ｃがインナーロータ４に設けた突起係合凹部４４に係合して、インナーロータ４を回転させる。更に、ラック棒７０が相対的に前進することにより、そのギア部７０ａの先端がインナーロータ４のギア部４３に噛み合わされる。
【００６２】
このギア部４３がラック棒７０のギア部７０ａに噛み合うことにより、ラック棒７０の移動量に応じてインナーロータ４が回転される。
【００６３】
図２２は、ラック棒７０のギア部７０ａがインナーロータ４のギア部４３に噛み合う前の状態を示すものである。この状態では、一対のシャッタ部材５ａ，５ｂの凸側接合部５０ａ及び凹側接合部５０ｂは互いに突き当てられて密着されている。このとき、インナーロータ４の開口部４２は、下シェル２２の開口部６に対して傾斜された位置にあるため、両開口部６，４２の重なり合った中央部分のみが開口されるが、その開口部は一対のシャッタ部材５ａ，５ｂによって閉じられている。従って、開口部６，４２の重複部分から塵埃がディスク収納部内に入り込む虞れがない。
【００６４】
更に、開口部６と開口部４２とが鋭角で接近している部分には、一対のシャッタ部材５ａ，５ｂの軸取付部５０ｃが介在されており、これら軸取付部５０ｃがリブ状の凸部２０ａの第２，第４の背高部２０ｅ，２０ｇの内側に位置して隙間を消滅させている。また、第１，第３の背高部２０ｄ，２０ｆの内側には閉鎖用の突片５５が介在されて隙間を消滅させている。更に、一対のシャッタ部材５ａ，５ｂに設けた長孔９は、シャッタ部材５ａ，５ｂが重なっている下シェル２２によって閉じられている。更にまた、開口部６を囲むように下シェル２２の開口部の周縁部に設けたリブ状の凸部２０ａがシャッタ部材５ａ，５ｂに設けた溝状の凹部２０ｂに嵌まり込んでクランク状の防塵部が形成されて、開口部６，４２を介して塵埃がディスク収納部内に侵入するのを防止する。
【００６５】
この状態から、記録媒体カートリッジ１の挿入動作に対応してラック棒７０がガイド溝３１内に入り込み、そのギア部７０ａとインナーロータ４のギア部４３との噛み合いが開始されると、インナーロータ４が時計方向に回転される。この場合、インナーロータ４が回転動作を開始する初期状態では、図２２及び図２３（Ａ）に示すように、インナーロータ４のリフトアップ用の凸部４６が上シェル２１のリフトアップ用の凸部１８に乗り上げてインナーロータ４との間で一対のシャッタ部材５ａ、５ｂを挟持した状態となっているため、インナーロータ４の回転動作には比較的大きな力が必要とされる。リフトアップ用の凸部１８，４６相互の乗り上げによる大きな摩擦力に抗してインナーロータ４を回転させることにより、図２３（Ｂ）に示すように、リフトアップ用の凸部１８，４６相互の係合が外れ摩擦力が消滅する。そのため、これ以後のインナーロータ４の回転動作は、極めて軽く且つスムースに行うことができる。
【００６６】
インナーロータ４を回転により、インナーロータ４の底面に設けた嵌合解除用の台形状の凸部４８，４８が下シェル２２のリブ状の凸部２０ａの第１，第３の背高部２０ｄ，２０ｆに乗り上げて、下シェル２２に対してインナーロータ４が持ち上げられた状態になると共に、シャッタ部材５ａ，５ｂも上昇して、リブ状の凸部２０ａから溝状の凹部２０ｂが抜け出た状態になるのである。
【００６７】
そして、インナーロータ４の更なる回転により、シャッタ部材５ａ，５ｂは、図２２の状態から、図２４のシャッタの半開状態を経て、図２５に示すように、各シャッタ部材５ａ，５ｂがインナーロータ４の開口部４２の両側部に移動して、前記開口部６，４２が完全に開放された状態になる。このとき、下シェル２２の開口部６の周縁部に付着した塵埃等は、前記シャッタ部材５ａ，５ｂの溝部８１内に受容されてカートリッジ筺体２内に侵入するのを未然に阻止される。
【００６８】
前記開口部６，４２が完全に開放された状態になると、ディスク収納部内に収納されている光デイスク３の一部が開口部６，４２によって露出される。そして、前記記録再生装置本体６２による情報信号の再生又は記録が実行される。
【００６９】
情報信号の再生又は記録の後、ディスク記録再生装置６０に設けられるカートリッジ排出ボタン（図示せず）を操作することにより、ローディング機構の作動を介して記録媒体カートリッジ１がディスク記録再生装置６０から排出される。
【００７０】
【発明の効果】
本発明の記録媒体カートリッジには次に述べるような効果がある。
（１）請求項１の発明は、シャッタの外面に、該シャッタが前記開口部を閉塞する第１の位置から前記開口部を開放する第２の位置に移動したときに、前記開口部の周縁部に付着した塵埃等を受容する溝部を設けたので、シャッタが前記開口部を開放する第２の位置に移動するときに前記開口部の周縁部に付着した塵埃等を前記溝部に受容して前記塵埃等がカートリッジ筺体内等に侵入するのを未然に防止する。
（２）請求項２の発明は、前記シャッタを、略半円形に形成された一対のシャッタ部材で構成し、前記一対のシャッタ部材は、弦辺側の端部に、前記開口部を閉塞する第１の位置において互いに重なり合って前記開口部を斜めに横断する薄肉の重合部と、前記塵埃を受容する溝部と、を設け、前記塵埃を受容する溝部の深さを、前記重合部の肉厚の値と略同じ値に形成したので、前記一対のシャッタ部材を合成樹脂で射出成型する際に、成型金型のキャビティの前記溝部を形成する部分で一旦、前記重合部を形成する部分と略同じ値に絞り込むことにより、前記重合部を形成する部分での急激な絞り込みを防止して溶融樹脂の前記重合部を形成する部分への回り込みを円滑にすることができる。
（３）請求項３の発明は、シャッタ部材の外面に設けた塵埃を受容する溝部に対応するシャッタ部材の内面位置に設けた溝部により、シャッタ部材の外面側及び内面側の熱膨張量等を略均等にしてシャッタ部材の熱膨張等による反りを防止することができる。
（４）請求項４の発明は、シャッタ部材の内面に、前記外面に設けた塵埃を受容する溝部と直交する方向の補強用の溝部を設けたので、前記シャッタ部材に所謂梁強度を持たせて前記外面に設けた塵埃を受容する溝部におけるシャッタ部材の撓み変形を防止することができる。
【図面の簡単な説明】
【図１】記録媒体カートリッジを上面側から見た斜視図。
【図２】記録媒体カートリッジを下面側から見た斜視図。（シャッタ閉状態）
【図３】記録媒体カートリッジを下面側から見た斜視図。（シャッタ開状態）
【図４】図１の分解斜視図。
【図５】図２の分解斜視図。
【図６】（Ａ）、（Ｂ）、（Ｃ）、（Ｄ）は、溝部の作用を示す断面図。
【図７】上シェルの内面側の平面図。
【図８】下シェルの内面側の平面図。
【図９】下シェルにインナーロータを組み付けて両者の開口部の位置を合わせた状態の平面図。
【図１０】下シェルにインナーロータを組み付けて両者の開口部の位置をずらした状態の平面図。
【図１１】シャッタ部材を内面側から見た斜視図。
【図１２】シャッタ部材を外面側から見た斜視図。
【図１３】図１２のＡ−Ａ断面図。
【図１４】他の実施例の断面図。
【図１５】他の実施例の断面図。
【図１６】下シェルにインナーロータを組み付けて両者の開口部の位置を合わせた状態の平面図。
【図１７】下シェルにインナーロータを組み付けて両者の開口部の位置をずらした状態の平面図。
【図１８】シャッタ駆動機構部分の分解斜視図。
【図１９】シャッタが閉じられた状態を下面側から見たカートリッジの要部の底面図。
【図２０】シャッタが開かれた状態を下面側から見たカートリッジの要部の底面図。
【図２１】ディスク記録再生装置の斜視図。
【図２２】カートリッジ筐体とシャッタ機構との動作関係を示し、シャッタ部材で開口部を完全に閉じた状態を示す説明図。
【図２３】（Ａ）はインナーロータのリフトアップ用の凸部が上シェルのリフトアップ用の凸部に乗り上げた状態を示す断面図、（Ｂ）はインナーロータと上シェルのリフトアップ用の凸部の係合が外れた状態を示す断面図。
【図２４】図２２の状態からインナーロータを回転させて一対のシャッタ部材を半開きにした状態を示す説明図。
【図２５】図２４の状態からインナーロータを更に回転させて一対のシャッタ部材が完全に開いた状態を示す説明図。
【図２６】記録媒体カートリッジを下面側から見た斜視図。（シャッタ閉状態）
【図２７】記録媒体カートリッジを下面側から見た斜視図。（シャッタ開状態）従来例の分解斜視図。
【図２８】（Ａ）、（Ｂ）、（Ｃ）は、従来例の問題点を示す断面図。
【符号の説明】
１…記録媒体カートリッジ、２…カートリッジ筐体（シェル）、３…光ディスク（情報記録媒体）、４…インナーロータ、５…シャッタ、５ａ，５ｂ…一対のシャッタ部材、６…開口部、７…シャッタ駆動機構、８…枢支部、８１〜８３…溝部。
【図１】
2004280933.tif 000003
【図２】
2004280933.tif 000004
【図３】
2004280933.tif 000005
【図４】
2004280933.tif 000006
【図５】
2004280933.tif 000007
【図６】
2004280933.tif 000008
【図７】
2004280933.tif 000009
【図８】
2004280933.tif 000010
【図９】
2004280933.tif 000011
【図１０】
2004280933.tif 000012
【図１１】
2004280933.tif 000013
【図１２】
2004280933.tif 000014
【図１３】
2004280933.tif 000015
【図１４】
2004280933.tif 000016
【図１５】
2004280933.tif 000017
【図１６】
2004280933.tif 000018
【図１７】
2004280933.tif 000019
【図１８】
2004280933.tif 000020
【図１９】
2004280933.tif 000021
【図２０】
2004280933.tif 000022
【図２１】
2004280933.tif 000023
【図２２】
2004280933.tif 000024
【図２３】
2004280933.tif 000025
【図２４】
2004280933.tif 000026
【図２５】
2004280933.tif 000027
【図２６】
2004280933.tif 000028
【図２７】
2004280933.tif 000029
【図２８】
2004280933.tif 000030